(57)【要約】    【課題】比較的簡単な構成としつつ、霧化した次亜塩素酸水を雰囲気中の広い範囲に放出することのできる噴霧装置を提供する。    【解決手段】噴霧装置１は、次亜塩素酸水を加圧して供給する次亜塩素酸水供給ユニット２０と、次亜塩素酸水の噴霧を放出する放出口及び外気を導入する外気導入口が形成されたハウジング３１と、該ハウジング３１内に配置され、次亜塩素酸水供給ユニット２０から供給された次亜塩素酸水を噴霧する噴霧ノズル３２と、を有する噴霧ユニット３０と、を備える。噴霧ユニット３０は、外気導入口が噴射ノズル３２の噴孔に対して噴霧方向とは反対側に位置するように形成され、噴霧ノズル３２の噴霧動作によって外気導入口からハウジング３１内に外気を導入し、導入した外気と噴霧ノズル３２からの噴霧とを混合させて放出口から放出する。【選択図】図１
2010137128.tif 000002
【特許請求の範囲】
【請求項１】
次亜塩素酸水を霧化して放出する噴霧装置であって、
前記次亜塩素酸水を加圧して供給する次亜塩素酸水供給ユニットと、
霧化した次亜塩素酸水を放出する放出口及び外気を導入する外気導入口が形成されたハウジングと、該ハウジング内に配置されて前記次亜塩素酸水供給ユニットから供給された次亜塩素酸水を噴霧する噴霧ノズルと、を有する噴霧ユニットと、を備え、
前記噴霧ユニットは、
前記外気導入口が前記噴射ノズルの噴孔に対して噴霧方向とは反対側に位置するように形成され、
前記噴霧ノズルの噴霧動作によって前記外気導入口から前記ハウジング内に外気を導入し、この導入した外気と前記噴霧ノズルからの噴霧とを混合させて前記放出口から放出する、噴霧装置。
【請求項２】
請求項１に記載の噴霧装置であって、
前記噴霧ユニットは、前記導入した外気によって、前記噴霧ノズルからの噴霧をほぼ水平方向に移動させ、その後、上方に移動させて前記放出口から放出する、噴霧装置。
【請求項３】
請求項１又は請求項２に記載の噴霧装置であって、
前記外気導入口の開口面積が変更可能に構成された、噴霧装置。
【請求項４】
請求項１〜３のいずれか１つに記載の噴霧装置であって、
前記ハウジングには、該ハウジング内に貯留する次亜塩素酸水を排出する排出口が形成されている、噴霧装置。
【請求項５】
請求項２〜４のいずれか１つに記載の噴霧装置であって、
前記噴霧ユニットは、
隔壁により、前記放出口が上部に形成された第１室と前記外気導入口が上部に形成された第２室とに仕切られると共に、前記隔壁の下方又は前記隔壁の下部に前記第１室と前記第２室とを連通させる連通部が設けられたハウジングと、
前記第２室内の前記外気導入口の下方に配置され、前記次亜塩素酸水供給ユニットから供給された次亜塩素酸水を下向きに噴霧する噴射ノズルと、を有し、
前記導入した外気によって、前記噴霧ノズルからの噴霧を前記第２室から前記連通部を介して前記第１室に移動させ、その後、前記第１室内を上方に移動させて前記放出口から放出する、噴霧装置。
【請求項６】
請求項２〜４のいずれか１つに記載の噴霧装置であって、
前記噴霧ユニットは、
鉛直方向にのびると共に前記外気導入口が形成された鉛直管部と、一端が前記鉛直管部の上端に接続されて水平方向にのびる水平管部と、一端が前記水平管部の他端に接続されて斜め上方にのびると共に他端に前記放出口が形成された傾斜管部と、を備えるハウジングと、
前記鉛直管部内に配置され、前記次亜塩素酸水供給ユニットから供給された次亜塩素酸水を上向きに噴霧する噴霧ノズルと、を有し、
前記導入した外気によって、前記噴霧ノズルからの噴霧を前記鉛直管部、前記水平管部及び前記傾斜管部を通過させて前記放出口から放出する、噴霧装置。
【請求項７】
請求項６に記載の噴霧装置であって、
前記鉛直管部の下端が閉塞端とされ、該閉塞端に形成した孔部を前記外気導入口及び前記排水口として機能させる、噴霧装置。
【請求項８】
請求項１〜７のいずれか１つに記載の噴霧装置であって、
前記次亜塩素酸水を連続的に生成できる次亜塩素酸水生成装置を備え、
前記次亜塩素酸水供給ユニットは、前記次亜塩素酸水生成装置によって生成された次亜塩素酸水を加圧して供給する、噴霧装置。
【発明の詳細な説明】
【技術分野】
【０００１】
本発明は、次亜塩素酸水の微細な霧（ミスト）を生成し、これを雰囲気中に放出する噴霧装置に関する。
【背景技術】
【０００２】
次亜塩素酸水を霧化して放出する装置として、例えば特許文献１に記載のものがある。この装置は、次亜塩素酸水を用いて室内を殺菌、脱臭する装置であり、次亜塩素酸水溶液タンク内の次亜塩素酸水に超音波を作用させて霧化させると共に、送付手段からの気流及び気流噴射ノズルからの噴射気流を利用して、霧化させた次亜塩素酸水を噴霧口から放出して遠くまで搬送するようにしている。
【特許文献１】特開２０００−１９７６８９号公報
【発明の開示】
【発明が解決しようとする課題】
【０００３】
しかしながら、上記従来の技術では、次亜塩素酸水に超音波を作用させるために次亜塩素酸水を次亜塩素酸水溶液タンクに一旦収容する必要がある。また、次亜塩素酸水の生成、放出（搬送）のために超音波発生器、送付手段及び気流噴射ノズルを備えなければならず、装置の構成要素が多くなる。このため、特に、噴霧を雰囲気中に広く放出させようとすると、装置を小型化するのが難しく比較的大きな設置スペースが必要になると共に、コストも高くならざるを得ない、という課題がある。
【０００４】
本発明は、このような課題に着目してなされたものであり、その目的は、比較的簡単な構成としつつ、霧化した次亜塩素酸水を雰囲気中の広い範囲に放出することのできる、噴霧装置を提供することである。
【課題を解決するための手段】
【０００５】
本発明の一側面による噴霧装置は、次亜塩素酸水を霧化して放出するものであり、次亜塩素酸水を加圧して供給する次亜塩素酸水供給ユニットと、霧化した次亜塩素酸水を放出する放出口及び外気を導入する外気導入口が形成されたハウジングと噴霧ノズルとを有する噴霧ユニットと、を備える。噴霧ノズルは、前記ハウジング内に配置されており、前記次亜塩素酸水供給ユニットから供給された次亜塩素酸水を噴霧する。そして、前記噴霧ユニットは、前記外気導入口が前記噴射ノズルの噴孔に対して噴霧方向とは反対側に位置するように形成されており、前記噴霧ノズルの噴霧動作によって前記外気導入口から前記ハウジング内に外気を導入し、導入した外気と前記噴霧ノズルからの噴霧とを混合させて前記放出口から放出する。
【０００６】
ここで、前記噴霧ユニットは、前記ハウジング内において、前記導入した外気によって前記噴霧ノズルからの噴霧をほぼ水平方向に移動させ、その後、上方に移動させて前記放出口から放出するように構成するのが好ましい。
【０００７】
例えば、前記噴霧ユニットが、隔壁によって前記放出口が上部に形成された第１室と前記外気導入口が上部に形成された第２室とに仕切られると共に、前記隔壁の下方又は前記隔壁の下部に前記第１室と前記第２室とを連通させる連通部が設けられたハウジングと、前記第２室内の前記外気導入口の下方に配置され、前記次亜塩素酸水供給ユニットから供給された次亜塩素酸水を下向きに噴霧する噴霧ノズルと、を有する構成とし、前記導入した外気によって、前記噴霧ノズルからの噴霧を前記第２室から前記連通部を介して前記第１室に移動させ、その後、前記第１室内を上方に移動させて前記放出口から放出するものとすることができる。
【０００８】
また、前記噴霧ユニットが、鉛直方向にのびると共に前記外気導入口が形成された鉛直管部と、一端が前記鉛直管部の上端に接続されて水平方向にのびる水平管部と、一端が前記水平管部の他端に接続されて斜め上方にのびると共に他端に前記放出口が形成された傾斜管部と、を備えるハウジングと、前記鉛直管部内に配置され、前記次亜塩素酸水供給ユニットから供給された次亜塩素酸水を上向きに噴霧する噴霧ノズルと、を有する構成とし、前記導入した外気によって、前記噴霧ノズルからの噴霧を前記鉛直管部、前記水平管部及び前記傾斜管部を通過させて前記放出口から放出するものとすることができる。
【０００９】
さらに、前記外気導入口の開口面積を変更できるように構成したり、前記ハウジング内に貯留する次亜塩素酸水を排出する排出口を前記ハウジングに形成したり、前記次亜塩素酸水を連続的に生成することのできる次亜塩素酸水生成装置を備えて前記次亜塩素酸水供給ユニットが前記次亜塩素酸水生成装置によって生成された次亜塩素酸水を加圧して供給するように構成したりすることもできる。
【発明の効果】
【００１０】
本発明によると、噴霧ノズルは次亜塩素酸水供給ユニットから加圧供給された次亜塩素酸水を噴霧し、この噴霧ノズルからの次亜塩素酸水の噴霧は、噴霧ユニット内で噴霧ノズルの噴霧動作によって外気導入口から導入した外気と混合されて放出口から放出される。ここで、外気導入口は、噴霧ノズルの噴孔に対して噴霧方向とは反対側に位置するように形成されており、次亜塩素酸水の噴霧との混合を効果的に行って、人や物をほとんど濡らすことのない、微細に霧化した次亜塩素酸水を放出することができる。また、霧化した次亜塩素酸水は、導入した外気による気流によって噴霧ユニットから放出されるため、特別な機構を設けることなく、雰囲気中の広い範囲に拡散させることができる。
【発明を実施するための最良の形態】
【００１１】
以下、本発明の実施形態を図に基づいて説明する。
図１は、本発明の第１実施形態による噴霧装置の概略構成を示す図である。図１に示すように、本実施形態による噴霧装置１は、次亜塩素酸水を生成する次亜塩素酸水生成装置１０と、次亜塩素酸水生成装置１０によって生成された次亜塩素酸水を加圧して供給するポンプ（次亜塩素酸水供給ユニット）２０と、例えば各部屋に設置され、ポンプ２０から供給された次亜塩素酸水を霧化して放出する複数の噴霧ユニット３０と、を備える。
【００１２】
次亜塩素酸水生成装置１０は、例えば、供給される水道水等の原水に、塩酸及び次亜塩素酸塩水溶液（例えば、次亜塩素酸ナトリウム水溶液）を加えてｐＨ５〜７程度の弱酸性の次亜塩素酸水を連続的かつ大量に生成することのできる装置である。このような次亜塩素酸水生成装置として、例えば、株式会社エイチ・エス・ピー製の「Ｓｔｅｒｉ  Ｒｅｖｏ  ＨＳＰ−ＳＲ６００」を用いることができる。
【００１３】
ポンプ２０は、接続管４１を介して次亜塩素酸水生成装置１０から供給される次亜塩素酸水を加圧して供給するものであり、いわゆる給水ポンプを用いることができる。なお、本実施形態におけるポンプ２０は、接続管４１を介して供給される次亜塩素酸水を６〜８ＭＰａ程度又はそれ以上の圧力で吐出することができるものである。ポンプ２０の吐出側には、供給管４２の一端が接続されている。
【００１４】
噴霧ユニット３０は、供給管４２を介してポンプ２０から供給される次亜塩素酸水を霧化して各部屋内に放出する。図２は、噴霧ユニット３０の断面図である。図２に示すように、噴霧ユニット３０は、ハウジング３１と、ハウジング３１内に配置される噴霧ノズル３２と、を備える。
【００１５】
ハウジング３１は、有蓋の箱状に形成されており、内部が隔壁３３によって第１室３４と第２室３５とに仕切られている。但し、第１室３４と第２室３５とは、隔壁３３によって完全には仕切られておらず、ハウジング３１内の上面側から下面側に向かってのびる隔壁３３の下方を連通部３６として連通している。なお、隔壁３３によって第１室３４と第２室３５とが完全に仕切られている場合には、隔壁３３の下部に連通孔を形成し、この連通孔を連通部３６とすればよい。また、ハウジング３１は、有蓋の箱状に形成されていればよく、その形状は問わない。例えば、ここでは断面形状がほぼ矩形となるハウジング３１を用いているが、断面形状が円形、楕円形又は多角形となる様々な形状のハウジング３１を用いることができる。
【００１６】
ハウジング３１の第１室３４側の一側面の上部、すなわち、第１室３４の一側面の上部には、霧化した次亜塩素酸水を放出する放出口３７が形成されている。但し、これに限るものではなくハウジング３１の第１室３４側の上面（第１室３４の上面）に放出口３７が形成されてもよい。すなわち、放出口３７は、第１室３４の上部に位置するように形成されていればよい。放出口３７が第１室３４の一側面の上部に形成されている場合には、霧化した次亜塩素酸水が斜め上方に放出されて該霧化した次亜塩素酸水をより遠くまで散布することができ、放出口３７が第１室３４の上面に形成されている場合には、霧化した次亜塩素酸水がほぼ真上に放出されて該霧化した次亜塩素酸水の滞空時間を長くすることができる。それぞれに利点があり、噴霧ユニット３０が設置される部屋（空間）や場所などに応じて適宜選択すればよいが、ここでは、噴霧ユニット３０が比較的広い空間に設置されるものとし、第１室３４の一側面の上部に放出口３７が形成されたものとする。
【００１７】
また、ハウジング３１の第２室３５側の上面、すなわち、第２室３５の上面には、外気（空気）をハウジング３１内に取り込むための外気導入口３８が形成されている。但し、これに限るものではなく、ハウジング３１の第２室３５側の一側面の上部に外気導入口３８が形成されてもよい。すなわち、外気導入口３８は、第２室３５の上部に位置するように形成されていればよい。この外気導入口３８についても噴霧ユニット３０が設置される場所等に応じて選択すればよいが、ここでは、第２室３５の上面に外気導入口３８が形成されたものとする。この外気導入口３８には、可動式のカバー部材３９ａが設けられており、このカバー部材３９ａをガイド３９ｂに沿ってスライド（図中の矢印を参照）させることによって外気導入口３８の開口面積を変更できるようになっている。
【００１８】
さらに、図２に示すように、ハウジング３１の底部、より具体的には、第１室３４の底部が第２室３５に向かって徐々に下降するように傾斜しており、第２室３５の底部には、ハウジング３１内に貯留する次亜塩素酸水（液体）を排出するための排出口４０が形成されている。排出口４０から排出された次亜塩素酸水は、排出管４３を介して回収タンク５０へと送られる。回収タンク５０に回収された次亜塩素酸水は、回収管４４を介して次亜塩素酸水生成装置１０に供給されて次亜塩素酸水の生成に利用される。なお、排出口４０から排出された次亜塩素酸水を次亜塩素酸水生成装置１０に直接戻すようにして、ｐＨ５〜７程度の弱酸性の次亜塩素酸水を再生するようにしてもよい。
【００１９】
噴霧ノズル３２は、供給される次亜塩素酸水の圧力（液圧）によって該次亜塩素酸水を噴霧する一流体ノズルであり、供給管４２に他端に接続されて第２室３５内に配置されている。より具体的には、噴霧ノズル３２は、図２に示すように、第２室３５内における外気導入口３８の下方に、より好ましくは、外気導入口３８の真下に、下向きに配置されており、ポンプ２０から供給管４２を介して供給（圧送）された次亜塩素酸水を第２室３５内で下向きに噴霧する。
【００２０】
次に、以上のように構成された第１実施形態による噴霧装置の作用を説明する。
次亜塩素酸水生成装置１０及びポンプ２０が起動すると、次亜塩素酸水生成装置１０によって弱酸性の次亜塩素酸水が連続的に生成され、この生成された次亜塩素酸水がポンプ２０によって圧送される。圧送された次亜塩素酸水は、供給管４２を介して噴霧ノズル３２に供給され、この噴霧ノズル３２によって第２室内３５に下向きに噴霧される。次亜塩素酸水は、例えば６〜８ＭＰａ程度の比較的高い圧力でポンプ２０から吐出されており、噴霧ノズル３２は第２室３５内に次亜塩素酸水の微細な噴霧（微細ミスト）を生成する。
【００２１】
一方、噴霧ノズル３２の噴霧動作によって（エジェクタ効果）、外気（空気）が外気導入口３８から第２室３５内へと導入され、ハウジング３１内を外気導入口３８から放出口３７へと流れる気流が生成される。外気導入口３８から外気が導入されると、噴霧ノズル３２からの次亜塩素酸水の噴霧は、この導入された外気と混合されると共に、生成された気流によって放出口３７へと導かれる。
【００２２】
ここで、ハウジング３１内において、第２室３５はハウジング３１内の下方に設けられた連通部３６によって第１室３４と連通しており、噴霧ノズル３２からの次亜塩素酸水の噴霧は、図中の破線矢印で示すように、導入された外気と混合されつつ連通部３６を介して第２室３５から第１室３４へと移動する。すなわち、噴霧ノズル３２からの次亜塩素酸水の噴霧は、連通部３６を介してほぼ水平方向に移動する。そして、第１室３４内に移動した次亜塩素酸水の噴霧は、導入された外気により生成された気流によって第１室３５内を上方へと移動し、放出口３７から雰囲気中に放出される。このように、下向きの次亜塩素酸水の噴霧を水平方向に移動させ、その後、上方に移動させてから放出することにより、放出口３７から放出される霧化した次亜塩素酸水（次亜塩素酸水の噴霧）は、大部分が人や物をほとんど濡らすことのない微細な粒径のものとなる。
【００２３】
また、カバー部材３９ａによって外気導入口３８の開口面積を変更すれば、ハウジング３１内に導入される外気量が調整されて、放出口３７から放出される霧化した次亜塩素酸水の状態（放出量、放出速度等）が調整される。もちろん、噴霧ユニット３０ごとに外気導入口３８の開口面積を異なるものとすることができる。
【００２４】
一方、霧化しなかった次亜塩素酸水やハウジング３１の内壁に付着した次亜塩素酸水、換言すれば、放出口３７から放出されずにハウジング３１内に貯留することとなった次亜塩素酸水（液体）は、排出口４０から排出されて回収タンク５０に回収される。
【００２５】
本実施形態による噴霧装置によると、噴霧ユニット３０において、ハウジング３１内で噴霧ノズル３２が次亜塩素酸水を下向きに噴霧し、この噴霧ノズル３２からの次亜塩素酸水の噴霧を、噴霧ノズル３２の上方の外気導入口３８から導入された外気によってハウジング３１内の下方にてほぼ水平方向に移動させ、その後、上方に移動させて放出口３７から放出させる。
【００２６】
これにより、ハウジング３１内において、導入された外気と噴霧ノズル３２からの次亜塩素酸水の噴霧との混合を効果的に行うことができると共に、比較的粒径の大きな次亜塩素酸水（の霧）が放出口３７から放出されてしまうことを抑制することができ、人や物をほとんど濡らすことのない、いわゆるドライフォグとなった次亜塩素酸水（の霧）を放出できる。また、噴霧ノズル３２の噴霧動作に伴って導入される外気による気流を利用しているので、特別な装置を設けることなく、霧化した次亜塩素酸水を比較的遠くまで散布することができる。
【００２７】
また、カバー部材３９ａによって外気導入口３８の開口面積が変更可能に構成されているので、噴霧ユニット３０が設置される空間や場所、あるいは、目的などに応じて放出される霧化した次亜塩素酸水の状態を調整することができる。例えば、噴霧ユニット３０が比較的広い空間に設置される場合には、外気導入口３８の開口面積を大きくして、霧化した次亜塩素酸水の放出量を多くすると共により遠くまで散布するようにし、逆に噴霧ユニット３０が比較的狭い空間に設置される場合には、外気導入口３８の開口面積を小さくして、霧化した次亜塩素酸水の放出量を少なくすると共に噴霧ユニット３０の周辺に散布するようにできる。さらに、噴霧ユニット３０が設置される空間の大きさがそれぞれ異なる場合には、各空間に応じて外気導入口３８の開口面積を異ならせることにより、放出される霧化した次亜塩素酸水の状態を個別に調整することができる。
【００２８】
図３は、本発明の第２実施形態による噴霧装置の概略構成を示す図である。
第２実施形態による噴霧装置１００は、上記第１実施形態による噴霧装置１（図１）と噴霧ユニット３００のみが異なり、その他の要素については同じであるので、ここでは噴霧ユニット３００以外の説明については省略する。なお、本実施形態における噴霧ユニット３００も、第１実施形態における噴霧ユニット３０と同様、例えば各部屋に設置され、ポンプ２０から供給された次亜塩素酸水を霧化して放出する。
【００２９】
図４は、噴霧ユニット３００の断面図である。図４に示すように、噴霧ユニット３００は、ハウジング３１０と、ハウジング３１０内に配置される噴霧ノズル３２０と、を備える。
【００３０】
ハウジング３１０は、下端が閉塞端とされた屈曲部を有する管状体で構成される。この管状体は円管であっても矩形管であってもよい。より具体的には、本実施形態のハウジング３１０は、下端が閉塞端とされて鉛直方向にのびる鉛直管部３１１と、一端が鉛直管部３１１の上端に接続されてほぼ水平方向にのびる水平管部３１２と、一端が水平管部３１２の他端に接続されて斜め上方にのびる傾斜管部３１３と、を備える。
【００３１】
ハウジング３１０の上端、すなわち、傾斜管部３１３の他端は開放端となっており、霧化した次亜塩素酸水を放出する放出口３１４を構成する。一方、鉛直管部３１１には、好ましくは、鉛直管部３１１の軸方向の中央よりも下側には、外部と連通する開口が形成されており、この開口がハウジング３１０内に外気を取り込むための外気導入口３１５を構成する。この外気導入口３１５には、可動式のカバー部材３１６が設けられており、このカバー部材３１６を鉛直管部３１１の外周面に沿ってスライド等させることによって外気導入口３１５の開口面積を変更できるようになっている。
【００３２】
また、ハウジング３１０の下端、すなわち、鉛直管部３１１の下端（閉塞端）には、ハウジング３１０内に貯留する次亜塩素酸水（液体）を排出するための排出口３１７が形成されている。排出口３１７から排出された次亜塩素酸水は、排出管４３を介して回収タンク５０へと送られる。なお、排出口３１７から排出された次亜塩素酸水を次亜塩素酸水生成装置１０に戻すようにして、ｐＨ５〜７程度の弱酸性の次亜塩素酸水を再生するようにしてもよい。
【００３３】
噴霧ノズル３２０は、第１実施形態における噴霧ノズル３２と同様、供給される次亜塩素酸水の圧力（液圧）によって該次亜塩素酸水を噴霧する一流体ノズルであり、供給管４２に他端に接続されて鉛直管部３１１内に配置されている。より具体的には、噴霧ノズル３２０は、図４に示すように、少なくともその噴孔が外気導入口３１５よりも上方に位置するように配置され、ポンプ２０から供給管４２を介して供給（圧送）された次亜塩素酸水を上向きに噴霧する。
【００３４】
次に、以上のように構成された第２実施形態による噴霧装置の作用を説明する。
第１実施形態による噴霧装置と同様、次亜塩素酸水生成装置１０及びポンプ２０が起動すると、次亜塩素酸水生成装置１０により弱酸性の次亜塩素酸水が連続的に生成され、この生成された次亜塩素酸水がポンプ２０によって圧送される。圧送された次亜塩素酸水は、供給管４２を介して噴霧ノズル３２０に供給され、この噴霧ノズル３２０よって鉛直管部３１１内で上向きに噴霧される。次亜塩素酸水は、例えば６〜８ＭＰａ程度の比較的高い圧力でポンプ２０から吐出されており、噴霧ノズル３２０は鉛直管部３１１内に次亜塩素酸水の微細な噴霧（微細ミスト）を生成する。
【００３５】
一方、噴霧ノズル３２０の噴霧動作に伴い、鉛直管部３１１には外気導入口３１５から外気が導入され、ハウジング３１０内を外気導入口３１５から鉛直管部３１１、水平管部３１２及び傾斜管部３１３を経て放出口３１４へと流れる気流が生成される。外気導入口３１５から外気が導入されると、噴霧ノズル３２０からの次亜塩素酸水の噴霧は、この導入された外気と混合されると共に、生成された気流によって放出口３１４へと導かれる。
【００３６】
すなわち、噴霧ノズル３２０からの次亜塩素酸水の噴霧は、図中の破線矢印で示すように、導入された外気と混合されつつ鉛直管部３１１を上方に移動し、水平管部３１２を通過することによりほぼ水平方向に移動し、その後、傾斜管部３１３を通過することにより上方に移動して放出口３１４から雰囲気中に放出される。このようにして、本実施形態においても、放出口３１４からは、人や物をほとんど濡らすことのない、いわゆるドライフォグとなった次亜塩素酸水が放出される。
【００３７】
なお、カバー部材３１６によって外気導入口３１５の開口面積を変更することにより、ハウジング３１０内に導入される外気量（放出口３１４から放出される次亜塩素酸水の噴霧の状態）が調整されること、ハウジング３１０内に貯留する次亜塩素酸水（液体）が、排出口３１７から排出されて回収タンク５０に回収されること、等については上記第１実施形態による噴霧装置と同様である。
【００３８】
本実施形態による噴霧装置によっても、上記第１実施形態による噴霧装置と同様の効果を得ることができる。
なお、本実施形態において、斜め上方にのびる傾斜管部３１３を用いているが、これに代えて鉛直上方にのびる第２鉛直管部（この場合、上記鉛直管部が第１鉛直管部となる）としてもよい。
【００３９】
また、水平管部３１２を、鉛直管部３１１との接続部が傾斜管部３１３との接続部よりも僅かに下側となるように設けたり、水平管部３１２内の最下部に傾斜管部３１３側から鉛直管部３１１側に向かって徐々に深くなるような溝を形成したりすることにより、ハウジング３１０内の貯留する次亜塩素酸水を効果的に排出することが可能となる。
【００４０】
さらに、鉛直管部３１１に外気導入口３１５を形成することなく、鉛直管部３１１の下端に形成した排出口３１７を外気導入口３１５として利用するようにしてもよい。例えば、図５に要部を示すように、排出管４３の排出口３１７との接続部の近傍に外部と連通する連通孔４３ａを形成しておけば、排出口３１７を外気導入口３１５として利用できる。
【００４１】
ところで、以上説明した第１、第２実施形態による噴霧装置は、次亜塩素酸水生成装置１０を備えているが、これを省略し、予め生成され収容タンク等に収容された次亜塩素酸水をポンプ２０によって圧送するように構成してもよい。
【００４２】
また、以上説明した第１、第２実施形態による噴霧装置は、複数の噴霧ユニットを備えているが、噴霧ユニットを１つだけ備えるものとしてもよいことはもちろんである。
【図面の簡単な説明】
【００４３】
【図１】本発明の第１実施形態による噴霧装置の概略構成を示す図である。
【図２】第１実施形態における噴霧ユニットの断面図である。
【図３】本発明の第２実施形態による噴霧装置の概略構成を示す図である。
【図４】第２実施形態における噴霧ユニットの断面図である。
【図５】第２実施形態による噴霧装置の変形例の要部を示す図である。
【符号の説明】
【００４４】
１…噴霧装置、１０…次亜塩素酸水生成装置、２０…ポンプ（次亜塩素酸水供給ユニット）、３０…噴霧ユニット、３１…ハウジング、３２…噴霧ノズル、３３…隔壁、３４…第１室、３５…第２室、３６…連通部、３７…放出口、３８…外気導入口、３９ａ…カバー部材、３９ｂ…ガイド、４０…排出口、４１…接続管、４２…供給管、４３…排出管、４３ａ…連通孔、４４…回収管、５０…回収タンク、１００…噴霧装置、３００…噴霧ユニット、３１０…ハウジング、３１１…鉛直管部、３１２…水平管部、３１３…傾斜管部、３１４…放出口、３１５…外気導入口、３１６…カバー部材、３１７…排出口
【図１】
2010137128.tif 000003
【図２】
2010137128.tif 000004
【図３】
2010137128.tif 000005
【図４】
2010137128.tif 000006
【図５】
2010137128.tif 000007